(57)【要約】【課題】ダイバーシティ方式で無線信号を受信する端末装置であって、受信回路数を低減し且つかつアンテナ選択に要する時間を短縮することが可能なものを提供する。【解決手段】複数のアンテナを備えダイバーシティ方式で無線信号を受信する端末装置が、ユーザによる該端末装置の利用状態を検出する状態検出部４２０と、その状態検出部によって検出され得る利用状態に応じて各アンテナの選択優先度を順位付けすることで使用されるべきアンテナを予め規定する優先度情報を記憶する記憶部４３２と、その状態検出部によって検出される利用状態とその記憶部に記憶された優先度情報とを比較することにより、該複数のアンテナの中から少なくとも一つのアンテナを指定する選択制御情報を出力する比較部４４０と、その選択制御情報によって指定されるアンテナを後段の受信回路に接続するアンテナ選択部４０２と、を具備するように構成される。【選択図】図３
2010011027.tif 000002
【特許請求の範囲】
【請求項１】
ダイバーシティ方式で無線信号を受信する端末装置であって、
ユーザによる該端末装置の利用状態を検出する状態検出部と、
前記状態検出部によって検出され得る利用状態に応じて各アンテナの選択優先度を順位付けすることで使用されるべきアンテナを予め規定する優先度情報を記憶する記憶部と、
前記状態検出部によって検出される利用状態と、前記記憶部に記憶された優先度情報と、を比較することにより、該複数のアンテナの中から少なくとも一つのアンテナを指定する選択制御情報を出力する制御部と、
前記選択制御情報によって指定されるアンテナを後段の受信回路に接続する選択部と、
を具備する端末装置。
【請求項２】
前記状態検出部は、各アンテナの搭載位置付近への接触を感知する第一の感知部を含み、前記優先度情報は、接触が感知されているアンテナの選択優先度を接触が感知されていないアンテナの選択優先度よりも低く順位付けする、請求項１に記載の端末装置。
【請求項３】
前記状態検出部は、該端末装置の水平面に対する傾斜を感知する第二の感知部を更に含み、前記優先度情報は、該傾斜に基づいて水平面に対しより高い位置にあると判定されるアンテナがより高い選択優先度を有するようにアンテナを順位付けする、請求項２に記載の端末装置。
【請求項４】
複数の無線種別毎に対応する受信回路が設けられ、前記優先度情報は、前記選択優先度とユーザにより設定された無線種別優先度とに応じて、無線種別毎に使用されるべきアンテナを規定する、請求項３に記載の端末装置。
【請求項５】
前記状態検出部は、ノートブック型としての利用状態か又はタブレット型としての利用状態かを検出し、前記優先度情報は、夫々の利用状態に応じて各アンテナの選択優先度を順位付けして使用されるべきアンテナを規定する、請求項１に記載の端末装置。
【請求項６】
端末装置におけるダイバーシティアンテナ制御方法であって、
ユーザによる該端末装置の利用状態を検出する状態検出ステップと、
前記状態検出ステップによって検出され得る利用状態に応じて各アンテナの選択優先度を順位付けすることで使用されるべきアンテナを予め規定する優先度情報を記憶する記憶装置にアクセスし、前記状態検出ステップによって検出される利用状態と、該記憶装置に記憶された優先度情報と、を比較することにより、該複数のアンテナの中から少なくとも一つのアンテナを指定する選択制御情報を出力するステップと、
前記選択制御情報によって指定されるアンテナを後段の受信回路に接続するステップと、
を具備するダイバーシティアンテナ制御方法。
【請求項７】
端末装置にダイバーシティ方式で無線信号を受信させるために用いられるプログラムであって、
ユーザによる該端末装置の利用状態を検出する状態検出ステップと、
前記状態検出ステップによって検出され得る利用状態に応じて各アンテナの選択優先度を順位付けすることで使用されるべきアンテナを予め規定する優先度情報を記憶する記憶装置にアクセスし、前記状態検出ステップによって検出される利用状態と、該記憶装置に記憶された優先度情報と、を比較することにより、該複数のアンテナの中から少なくとも一つのアンテナを指定する選択制御情報を出力するステップと、
前記選択制御情報によって指定されるアンテナを後段の受信回路に接続するステップと、
を前記端末装置としてのコンピュータに実行させるプログラム。
【発明の詳細な説明】
【技術分野】
【０００１】
本開示技術は、複数のアンテナを備えダイバーシティ方式で無線信号を受信する端末装置及びそのダイバーシティアンテナ制御方法に関する。
【背景技術】
【０００２】
従来のノートブック型又はラップトップ型と呼ばれるパーソナルコンピュータ（personal computer：ＰＣ）は、通常、机上に置かれた状態で使用される。そのため、図１（ａ）に示されるように、液晶ディスプレイ（liquid crystal display：ＬＣＤ）１０４の上部にアンテナ１０２を実装することで、十分なアンテナ性能を得ることが可能であった。
【０００３】
近年、図１（ｂ）に示されるようなタブレット型ＰＣも登場した。タブレット型ＰＣは、手に持たれた状態で使用される。そのため、ユーザがアンテナ１０２の登載部に触れることにより、アンテナ性能が低下する。また、ユーザがＰＣを傾けて使用することにより、アンテナ性能が低下する。
【０００４】
さらに、ノートブック型ＰＣについても、小型化が進むことで、同様な問題が生じる。また、ＬＣＤが１８０度回転可能でありノートブック型及びタブレット型の双方の形態で利用可能なコンバーティブルＰＣも登場してきている。このコンバーティブルＰＣにおいても、アンテナ性能の低下が問題となる。
【０００５】
アンテナ性能の低下に対処すべく、図２（ａ）及び（ｂ）に示されるように、ダイバーシティアンテナとして複数のアンテナ１０２を設け、これらを同時に使用して、特性が良好なアンテナからのデータを受信することが考えられる。例えば、アンテナ本数と同じ数の受信回路を用意し、各アンテナの受信強度を検出して受信回路を切替えることにより、良好な通信品質を維持することができる（例えば、下記特許文献１及び２を参照）。しかし、この場合には、アンテナ本数と同じ数の受信回路が必要となるため、コストが上昇する。
【０００６】
それに対し、アンテナ本数と同じ数の受信回路を必要とすることがないように、アンテナを順に切替えて受信回路に接続し、各アンテナの受信強度を検出することが考えられる（例えば、下記特許文献３〜５を参照）。しかし、この場合には、アンテナを順に切替える必要があるため、アンテナの選択までに時間を要する。
【０００７】
【特許文献１】特開２００６−２４５８０１号公報
【特許文献２】特開２００７−２３５３０５号公報
【特許文献３】特開２００５−１４２８６６号公報
【特許文献４】特開２００５−１３０１７５号公報
【特許文献５】特開平１１−１５０４９０号公報
【発明の開示】
【発明が解決しようとする課題】
【０００８】
本発明は、上述した問題点に鑑みてなされたものであり、その目的は、複数のアンテナを備えダイバーシティ方式で無線信号を受信する端末装置であって、アンテナ本数に一致する数の受信回路を必要とせず、即ち、受信回路数を低減し、かつ、アンテナ選択に要する時間を短縮することが可能な端末装置、及び、そのダイバーシティアンテナ制御方法を提供することにある。
【課題を解決するための手段】
【０００９】
上記目的を達成するために、本開示技術の一つの面によれば、ダイバーシティ方式で無線信号を受信する端末装置であって、ユーザによる該端末装置の利用状態を検出する状態検出部と、前記状態検出部によって検出され得る利用状態に応じて各アンテナの選択優先度を順位付けすることで使用されるべきアンテナを予め規定する優先度情報を記憶する記憶部と、前記状態検出部によって検出される利用状態と、前記記憶部に記憶された優先度情報と、を比較することにより、該複数のアンテナの中から少なくとも一つのアンテナを指定する選択制御情報を出力する制御部と、前記選択制御情報によって指定されるアンテナを後段の受信回路に接続する選択部と、を具備する端末装置が提供される。
【００１０】
さらに、本開示技術の他の面によれば、上述の端末装置で実行されるダイバーシティアンテナ制御方法と、その方法を端末装置としてのコンピュータシステムに実行させるプログラムと、が提供される。
【発明の効果】
【００１１】
開示の端末装置及びダイバーシティアンテナ制御方法によれば、受信強度を検出することなく、ユーザによる端末装置の利用状態に基づいて、選択されるべきアンテナが一意に決定されてアンテナ性能（受信感度）が改善される。そのため、受信回路数の低減とアンテナ選択時間の短縮とが同時に実現される。特に、ユーザが手に持ったり、傾けたりしながら利用されることが想定されるタブレット型ＰＣや小型端末といった、今後も利用増加が予想される端末装置の無線通信機能が改善される。
【発明を実施するための最良の形態】
【００１２】
以下、添付図面を参照して本発明の実施形態について説明する。図３は、本開示による端末装置の原理的形態を説明するための図であって、（ａ）は本開示によるノートブック型ＰＣの外観、（ｂ）は本開示によるタブレット型ＰＣの外観、をそれぞれ示す。図３（ａ）に示されるノートブック型ＰＣは、複数のアンテナ３０２を備えダイバーシティ方式で無線信号を受信する。
【００１３】
そして、このノートブック型ＰＣは、各アンテナ３０２に対して、その搭載位置付近への接触を感知する接触センサ３０４を備える。さらに、このノートブック型ＰＣは、ＰＣの水平面に対する傾斜状態を計測するための傾斜センサ３０６を備える。図３（ｂ）に示されるタブレット型ＰＣについても、同様に、複数のアンテナ３０２及び複数の接触センサ３０４を備える。なお、図３（ａ）及び（ｂ）は、ＬＣＤが１８０度回転可能でノートブック型及びタブレット型の双方の形態で利用可能な一つのコンバーティブルＰＣをも同時に示す図である。
【００１４】
図４は、図３に示される原理的形態における無線受信装置の構成を示す図である。この無線受信装置は、複数のアンテナ３０２、アンテナ選択部４０２、通信モジュール４１０、状態検出部４２０、記憶部４３０、及び比較部４４０を備える。アンテナ選択部４０２は、比較部４４０からのアンテナ選択信号に基づいて一つのアンテナ３０２を選択し、通信モジュール４１０に接続する。通信モジュール４１０は、選択されたアンテナ３０２からの信号を受ける受信回路部４１２、その受信回路部からの受信波を受けて復調する復調部４１４、及びその復調部からの受信データやＲＳＳＩ（Received Signal Strength Indicator）データを受ける制御部４１６を含む。
【００１５】
状態検出部４２０は、図３に示される複数の接触センサ３０４からなる接触検出部４２２、図３に示される傾斜センサ３０６からなる傾斜検出部４２４、ＬＣＤ回転検出部４２６、等を含む。ＬＣＤ回転検出部４２６は、ＬＣＤが１８０度、チルト回転可能でノートブック型及びタブレット型の双方の形態で利用可能な場合に、そのチルト回転を検出して、現在、ノートブック型としての利用状態にあるか又はタブレット型としての利用状態にあるかを表すＬＣＤ回転情報を出力する。
【００１６】
記憶部４３０は、状態検出部４２０によって検出され得る利用状態に応じて各アンテナの選択優先度を順位付けすることで使用されるべきアンテナを予め規定するデータテーブル（優先度情報）４３２を記憶する。制御部としての比較部４４０は、状態検出部４２０からの接触情報、傾斜情報、ＬＣＤ回転情報等と、データテーブル４３２からのテーブル情報と、を比較することにより、ユーザによる現在の端末利用状態に応じた最適のアンテナを決定し、選択制御情報としてのアンテナ選択信号をアンテナ選択部４０２へ出力する。比較部４４０は、プログラムがロードされるメモリと、そのメモリにロードされたプログラムを実行するプロセッサと、を備える。以下、より具体的な実施形態について説明する。
【００１７】
図５は、本開示による端末装置の第一実施形態について説明するための図であって、（ａ）は外観、（ｂ）はアンテナ及びセンサの配置、（ｃ）は傾斜センサ、（ｄ）は装置の傾斜、をそれぞれ示す。この携帯端末装置は、図５（ａ）に示されるようにノートブック型ＰＣである。キーボード等が配置された操作面５０２には、図５（ｂ）に示されるように、その四つの角の近くにアンテナＡ１〜Ａ４が設けられている。そして、アンテナＡ１〜Ａ４のそれぞれに対応して、その付近への接触を感知する接触センサＳ１〜Ｓ４が設けられている。
【００１８】
また、図５（ｂ）に示されるように、操作面５０２の中央付近には、傾斜センサ５０４が搭載されている。傾斜センサ５０４は、例えば、重力加速度を検出することができるピエゾ抵抗型３軸加速度センサである。このセンサは、図５（ｃ）に示されるような、操作面５０２に平行で相互に直行するｘ軸及びｙ軸の方向の重力加速度成分ａｘ及びａｙを検出する。そのため、例えば、ａｘの値が正であれば、図５（ｄ）に示されるようにＰＣが傾斜していることがわかるため、アンテナＡ１〜Ａ４についての相対的な高さ情報を得ることができる。
【００１９】
図６は、図５に示される第一実施形態における無線受信装置の構成を示す図である。アンテナＡ１〜Ａ４の各々は、ＵＭＴＳ（Universal Mobile Telecommunication System）用とＷＬＡＮ（Wireless LAN）用とを兼ねる統合アンテナである。なお、統合アンテナの例としては、ＵＭＴＳ、ＷＬＡＮ、ＷｉＭＡＸ（Worldwide Interoperability for Microwave Access）、ＢＴ（British Telecommunications）、ＵＷＢ（Ultra Wide Band）等の通信方式の中のいくつかに対応したものが挙げられる。
【００２０】
この無線受信装置は、通信モジュールとして、ＵＭＴＳモジュール６２０及びＷＬＡＮモジュール６３０を備える。アンテナ選択部６１０は、比較部６６０からのＵＭＴＳアンテナ選択信号に基づいて一つのアンテナを選択してＵＭＴＳモジュール６２０に接続するとともに、比較部６６０からのＷＬＡＮアンテナ選択信号に基づいてもう一つのアンテナを選択してＷＬＡＮモジュール６３０に接続する。
【００２１】
比較部６６０は、接触センサＳ１〜Ｓ４からの接触情報、傾斜センサ５０４からの傾斜情報、及びユーザ設定部６４０からの優先インタフェース（ＩＦ）情報と、データテーブル６５０からのテーブル情報と、を比較することにより、ユーザによる現在の端末利用状態に応じた最適のアンテナを決定し、ＵＭＴＳアンテナ選択信号及びＷＬＡＮアンテナ選択信号をアンテナ選択部６１０へ出力する。この実施形態では、ユーザは、ユーザ設定部６４０を介して、ＵＭＴＳ又はＷＬＡＮのいずれを優先ＩＦとするかを設定することができる。
【００２２】
図７は、図６におけるデータテーブル６５０の内容を示す図である。データテーブル６５０においては、接触センサＳ１〜Ｓ４からの接触情報と、傾斜センサ５０４からの傾斜情報と、に基づいてアンテナＡ１〜Ａ４の優先順位が定められている。そして、優先順位１のアンテナと優先順位２のアンテナとに対して、いずれをＵＭＴＳ用とし他方をＷＬＡＮ用とするかが、ユーザ設定による優先ＩＦ情報に基づいて定められている。
【００２３】
なお、接触情報の内容は、対応するアンテナへの接触の検出又は未検出である。傾斜情報の内容は、重力加速度のｘ軸方向成分ａｘが正か負か、重力加速度のｙ軸方向成分ａｙが正か負か、及び｜ａｘ｜が所定値ｄ以上か否か、である。なお、｜ａｘ｜≧ｄは、ｘ軸方向又はｙ軸方向のどちらに大きく傾いているかを判定するためである。なお、３軸方向の各加速度の二乗を加算したものは、重力加速度（一定値）の二乗に等しく、｜ａｘ｜の値により｜ａｙ｜の値が制限されるため、｜ａｙ｜については考慮されていない。
【００２４】
アンテナＡ１〜Ａ４の優先順位については、まず、接触が検出されているか否かに基づき、接触が検出されているアンテナは低い優先順位の側に属するように、一方、接触が未検出のアンテナは高い優先順位の側に属するように、アンテナＡ１〜Ａ４が二つに分けられる。さらに、傾斜情報に基づいて、より高い位置にあるアンテナがより高い優先順位を有するように、最終的に優先順位が決められる。最後に、前述のように、ユーザ設定による優先ＩＦ情報に基づいて、使用されるべきアンテナが決定される。
【００２５】
例えば、図５に示される状態において、接触センサＳ２及びＳ３が接触を検出しているとともに、ｘ軸方向及びｙ軸方向に進むにつれて高さが低くなるように傾斜しているが、ｘ軸方向への傾斜の度合いが大きく、更にＵＭＴＳが優先ＩＦとして設定されている状況下では、アンテナの優先順位はＡ１、Ａ４、Ａ２、Ａ３となり、ＵＭＴＳ用アンテナとしてアンテナＡ１が選択され、ＷＬＡＮ用アンテナとしてアンテナＡ４が選択されることとなる。
【００２６】
図８は、第一実施形態における無線接続処理のフローチャートである。無線接続が開始されると、比較部６６０は、接触センサＳ１〜Ｓ４からの接触情報の入力を開始する（ステップ８０２）。次いで、比較部６６０は、傾斜センサ５０４からの傾斜情報の入力を開始する（ステップ８０４）。次いで、比較部６６０は、ユーザ設定部６４０からの優先ＩＦ情報の入力を開始する（ステップ８０６）。
【００２７】
次いで、比較部６６０は、先の各ステップで入力された各種の情報と、データテーブル６５０からのテーブル情報と、を比較する（ステップ８０８）。その比較結果に基づいて、比較部６６０は、使用されるべきアンテナを決定し、ＵＭＴＳアンテナ選択信号及びＷＬＡＮアンテナ選択信号を出力する（ステップ８１０）。それらの信号を受けて、アンテナ選択部６１０は、アンテナを切替える（ステップ８１２）。次いで、比較部６６０は、無線接続を終了すべきか否かを判定し（ステップ８１４）、無線接続を継続する場合には、ステップ８０８に戻る。
【００２８】
図９は、本開示による端末装置の第二実施形態における無線受信装置の構成を示す図である。この第二実施形態も、第一実施形態に係る図５（ａ）及び（ｂ）に示されるように、ノートブック型ＰＣであり、アンテナＡ１〜Ａ４、接触センサＳ１〜Ｓ４、及び傾斜センサ５０４を備える。ただし、第二実施形態におけるアンテナＡ１〜Ａ４は、単一種類のアンテナすなわちＷＬＡＮアンテナである。そして、第二実施形態における無線受信装置は、通信モジュールとして、メイン受信回路部及びサブ受信回路部を含むＷＬＡＮモジュール９３０を備える。
【００２９】
アンテナ選択部９１０は、比較部９６０からのメインアンテナ選択信号及びサブアンテナ選択信号に基づき、それぞれ、対応するアンテナを選択して、ＷＬＡＮモジュール９３０内のメイン受信回路部及びサブ受信回路部に接続する。比較部９６０は、接触センサＳ１〜Ｓ４からの接触情報、及び傾斜センサ５０４からの傾斜情報と、データテーブル９５０からのテーブル情報と、を比較することにより、ユーザによる現在の端末利用状態に応じた最適なアンテナを決定し、メインアンテナ選択信号及びサブアンテナ選択信号をアンテナ選択部９１０へ出力する。
【００３０】
図１０は、図９におけるデータテーブル９５０の内容を示す図である。データテーブル９５０においては、第一実施形態におけるデータテーブル（図７）と同様に、接触センサＳ１〜Ｓ４からの接触情報と、傾斜センサ５０４からの傾斜情報と、に基づいてアンテナＡ１〜Ａ４の優先順位が定められている。そして、優先順位１のアンテナがメインアンテナとして指定され、優先順位２のアンテナがサブアンテナとして指定されている。
【００３１】
図１１は、第二実施形態における無線接続処理のフローチャートである。この無線接続処理は、第一実施形態における無線接続処理（図８）と比較し、ステップ８０６が削除されているという点においてのみ相違する。
【００３２】
図１２は、本開示による端末装置の第三実施形態について説明するための図であって、（ａ）はノートブック型ＰＣ状態としたときの外観、（ｂ）はタブレット型ＰＣ状態としたときの外観、をそれぞれ示す。この携帯端末装置は、図１２（ａ）に示されるノートブック型ＰＣとしても、図１２（ｂ）に示されるタブレット型ＰＣとしても利用可能なコンバーティブルＰＣである。
【００３３】
このコンバーティブルＰＣは、ＬＣＤ側にアンテナＡ１及びＡ２を備え、操作部側にアンテナＡ３及びＡ４を備える。そして、アンテナの指向性とその搭載位置の構造から、アンテナＡ１とＡ２とではＡ１の方が特性において良好となり、また、アンテナＡ３とＡ４とではＡ３の方が特性において良好となっている。
【００３４】
図１３は、図１２に示される第三実施形態における無線受信装置の構成を示す図である。図１３におけるアンテナ選択部９１０及びＷＬＡＮモジュール９３０は、第二実施形態（図９）のものと同一である。比較部１３６０は、リッドセンサ１３２０からのＬＣＤ回転情報と、データテーブル１３５０からのテーブル情報と、を比較することにより、ユーザによる現在の端末利用状態に応じた最適なアンテナを決定し、メインアンテナ選択信号及びサブアンテナ選択信号をアンテナ選択部９１０へ出力する。
【００３５】
リッドセンサ１３２０は、図４におけるＬＣＤ回転検出部４２６として機能するものである。すなわち、リッドセンサ１３２０は、ＬＣＤが１８０度回転可能でノートブック型及びタブレット型の双方の形態で利用可能な場合に、その回転を磁気的に検出して、現在、ノートブック型としての利用状態にあるか又はタブレット型としての利用状態にあるかを表すＬＣＤ回転情報を出力する。
【００３６】
図１４は、図１３におけるデータテーブル１３５０の内容を示す図である。データテーブル１３５０においては、ＬＣＤ回転情報に基づいてアンテナＡ１〜Ａ４の優先順位が定められている。すなわち、図１２（ａ）のノートブック型としての利用状態にあるときには、ＬＣＤ側のアンテナＡ１及びＡ２が、操作部側のアンテナＡ３及びＡ４よりも受信特性において良好であるため、アンテナＡ１及びＡ２が選択される。そして、前述の理由から、アンテナＡ１とＡ２とではＡ１の方がメインアンテナとして選択される。一方、図１２（ｂ）のタブレット型としての利用状態にあるときには、操作部側のアンテナＡ３及びＡ４が、ＬＣＤ側のアンテナＡ１及びＡ２よりも受信特性において良好であるため、アンテナＡ３及びＡ４が選択される。さらに、前述の理由から、アンテナＡ３とＡ４とではＡ３の方がメインアンテナとして選択される。
【００３７】
図１５は、第三実施形態における無線接続処理のフローチャートである。この無線接続処理は、第一実施形態における無線接続処理（図８）と比較し、ステップ８０２、８０４及び８０６がステップ１５０２に置き換えられている点においてのみ相違する。ステップ１５０２において、比較部１３６０は、リッドセンサ１３２０からのＬＣＤ回転情報の入力を開始する。後続のステップは、第一実施形態の場合と同様である。
【００３８】
以上の第一、第二及び第三実施形態のうちのいずれか二つ又は三つを組み合わせることも可能である。
【００３９】
以上の実施形態に関し、以下の付記を開示する。
【００４０】
（付記１）  ダイバーシティ方式で無線信号を受信する端末装置であって、
ユーザによる該端末装置の利用状態を検出する状態検出部と、
前記状態検出部によって検出され得る利用状態に応じて各アンテナの選択優先度を順位付けすることで使用されるべきアンテナを予め規定する優先度情報を記憶する記憶部と、
前記状態検出部によって検出される利用状態と、前記記憶部に記憶された優先度情報と、を比較することにより、該複数のアンテナの中から少なくとも一つのアンテナを指定する選択制御情報を出力する制御部と、
前記選択制御情報によって指定されるアンテナを後段の受信回路に接続する選択部と、
を具備する端末装置。
【００４１】
（付記２）  前記状態検出部は、各アンテナの搭載位置付近への接触を感知する第一の感知部を含み、前記優先度情報は、接触が感知されているアンテナの選択優先度を接触が感知されていないアンテナの選択優先度よりも低く順位付けする、付記１に記載の端末装置。
【００４２】
（付記３）  前記状態検出部は、該端末装置の水平面に対する傾斜を感知する第二の感知部を更に含み、前記優先度情報は、該傾斜に基づいて水平面に対しより高い位置にあると判定されるアンテナがより高い選択優先度を有するようにアンテナを順位付けする、付記２に記載の端末装置。
【００４３】
（付記４）  複数の無線種別毎に対応する受信回路が設けられ、前記優先度情報は、前記選択優先度とユーザにより設定された無線種別優先度とに応じて、無線種別毎に使用されるべきアンテナを規定する、付記３に記載の端末装置。
【００４４】
（付記５）  メイン受信回路及びサブ受信回路が設けられ、前記優先度情報は、前記選択優先度に応じて、該メイン受信回路及び該サブ受信回路の夫々について使用されるべきアンテナを規定する、付記３に記載の端末装置。
【００４５】
（付記６）  前記状態検出部は、ノートブック型としての利用状態か又はタブレット型としての利用状態かを検出し、前記優先度情報は、夫々の利用状態に応じて各アンテナの選択優先度を順位付けして使用されるべきアンテナを規定する、付記１に記載の端末装置。
【００４６】
（付記７）  端末装置におけるダイバーシティアンテナ制御方法であって、
ユーザによる該端末装置の利用状態を検出する状態検出ステップと、
前記状態検出ステップによって検出され得る利用状態に応じて各アンテナの選択優先度を順位付けすることで使用されるべきアンテナを予め規定する優先度情報を記憶する記憶装置にアクセスし、前記状態検出ステップによって検出される利用状態と、該記憶装置に記憶された優先度情報と、を比較することにより、該複数のアンテナの中から少なくとも一つのアンテナを指定する選択制御情報を出力するステップと、
前記選択制御情報によって指定されるアンテナを後段の受信回路に接続するステップと、
を具備するダイバーシティアンテナ制御方法。
【００４７】
（付記８）  前記状態検出ステップは、各アンテナの搭載位置付近への接触を感知することを含み、前記優先度情報は、接触が感知されているアンテナの選択優先度を接触が感知されていないアンテナの選択優先度よりも低く順位付けする、付記７に記載のダイバーシティアンテナ制御方法。
【００４８】
（付記９）  前記状態検出ステップは、該端末装置の水平面に対する傾斜を感知することを更に含み、前記優先度情報は、該傾斜に基づいて水平面に対しより高い位置にあると判定されるアンテナがより高い選択優先度を有するようにアンテナを順位付けする、付記８に記載のダイバーシティアンテナ制御方法。
【００４９】
（付記１０）  該端末装置には複数の無線種別毎に対応する受信回路が設けられ、前記優先度情報は、前記選択優先度とユーザにより設定された無線種別優先度とに応じて、無線種別毎に使用されるべきアンテナを規定する、付記９に記載のダイバーシティアンテナ制御方法。
【００５０】
（付記１１）  該端末装置にはメイン受信回路及びサブ受信回路が設けられ、前記優先度情報は、前記選択優先度に応じて、該メイン受信回路及び該サブ受信回路の夫々について使用されるべきアンテナを規定する、付記９に記載のダイバーシティアンテナ制御方法。
【００５１】
（付記１２）  前記状態検出ステップは、ノートブック型としての利用状態か又はタブレット型としての利用状態かを検出することを含み、前記優先度情報は、夫々の利用状態に応じて各アンテナの選択優先度を順位付けして使用されるべきアンテナを規定する、付記７に記載のダイバーシティアンテナ制御方法。
【００５２】
（付記１３）  端末装置にダイバーシティ方式で無線信号を受信させるために用いられるプログラムであって、
ユーザによる該端末装置の利用状態を検出する状態検出ステップと、
前記状態検出ステップによって検出され得る利用状態に応じて各アンテナの選択優先度を順位付けすることで使用されるべきアンテナを予め規定する優先度情報を記憶する記憶装置にアクセスし、前記状態検出ステップによって検出される利用状態と、該記憶装置に記憶された優先度情報と、を比較することにより、該複数のアンテナの中から少なくとも一つのアンテナを指定する選択制御情報を出力するステップと、
前記選択制御情報によって指定されるアンテナを後段の受信回路に接続するステップと、
を前記端末装置としてのコンピュータに実行させるプログラム。
【００５３】
（付記１４）  前記状態検出ステップは、各アンテナの搭載位置付近への接触を感知することを含み、前記優先度情報は、接触が感知されているアンテナの選択優先度を接触が感知されていないアンテナの選択優先度よりも低く順位付けする、付記１３に記載のプログラム。
【００５４】
（付記１５）  前記状態検出ステップは、該端末装置の水平面に対する傾斜を感知することを更に含み、前記優先度情報は、該傾斜に基づいて水平面に対しより高い位置にあると判定されるアンテナがより高い選択優先度を有するようにアンテナを順位付けする、付記１４に記載のプログラム。
【００５５】
（付記１６）  該端末装置には複数の無線種別毎に対応する受信回路が設けられ、前記優先度情報は、前記選択優先度とユーザにより設定された無線種別優先度とに応じて、無線種別毎に使用されるべきアンテナを規定する、付記１５に記載のプログラム。
【００５６】
（付記１７）  該端末装置にはメイン受信回路及びサブ受信回路が設けられ、前記優先度情報は、前記選択優先度に応じて、該メイン受信回路及び該サブ受信回路の夫々について使用されるべきアンテナを規定する、付記１５に記載のプログラム。
【００５７】
（付記１８）  前記状態検出ステップは、ノートブック型としての利用状態か又はタブレット型としての利用状態かを検出することを含み、前記優先度情報は、夫々の利用状態に応じて各アンテナの選択優先度を順位付けして使用されるべきアンテナを規定する、付記１３に記載のプログラム。
【図面の簡単な説明】
【００５８】
【図１】（ａ）はノートブック型（ラップトップ型）パーソナルコンピュータ（ＰＣ）、（ｂ）はタブレット型ＰＣ、をそれぞれ示す図である。
【図２】（ａ）はダイバーシティアンテナを備えたノートブック型ＰＣ、（ｂ）はダイバーシティアンテナを備えたタブレット型ＰＣ、をそれぞれ示す図である。
【図３】本開示による端末装置の原理的形態を説明するための図であって、（ａ）は本開示によるノートブック型ＰＣの外観、（ｂ）は本開示によるタブレット型ＰＣの外観、をそれぞれ示す。
【図４】原理的形態における無線受信装置の構成を示す図である。
【図５】本開示による端末装置の第一実施形態について説明するための図であって、（ａ）は外観、（ｂ）はアンテナ及びセンサの配置、（ｃ）は傾斜センサ、（ｄ）は装置の傾斜、をそれぞれ示す。
【図６】第一実施形態における無線受信装置の構成を示す図である。
【図７】第一実施形態におけるデータテーブルの内容を示す図である。
【図８】第一実施形態における無線接続処理のフローチャートである。
【図９】本開示による端末装置の第二実施形態における無線受信装置の構成を示す図である。
【図１０】第二実施形態におけるデータテーブルの内容を示す図である。
【図１１】第二実施形態における無線接続処理のフローチャートである。
【図１２】本開示による端末装置の第三実施形態について説明するための図であって、（ａ）はノートブック型ＰＣ状態としたときの外観、（ｂ）はタブレット型ＰＣ状態としたときの外観、をそれぞれ示す。
【図１３】第三実施形態における無線受信装置の構成を示す図である。
【図１４】第三実施形態におけるデータテーブルの内容を示す図である。
【図１５】第三実施形態における無線接続処理のフローチャートである。
【符号の説明】
【００５９】
１０２    アンテナ
１０４    液晶ディスプレイ（ＬＣＤ）
３０２    アンテナ
３０４    接触センサ
３０６    傾斜センサ
４０２    アンテナ選択部
４１０    通信モジュール
４１２    受信回路部
４１４    復調部
４１６    制御部
４２０    状態検出部
４２２    接触検出部
４２４    傾斜検出部
４２６    ＬＣＤ回転検出部
４３０    記憶部
４３２    データテーブル
４４０    比較部
Ａ１〜Ａ４    アンテナ
Ｓ１〜Ｓ４    接触センサ
５０２    操作面
５０４    傾斜センサ
６１０    アンテナ選択部
６２０    ＵＭＴＳモジュール
６３０    ＷＬＡＮモジュール
６４０    ユーザ設定部
６５０    データテーブル
６６０    比較部
９１０    アンテナ選択部
９３０    ＷＬＡＮモジュール
９５０    データテーブル
９６０    比較部
１３２０    リッドセンサ
１３５０    データテーブル
１３６０    比較部
【図１】
2010011027.tif 000003
【図２】
2010011027.tif 000004
【図３】
2010011027.tif 000005
【図４】
2010011027.tif 000006
【図５】
2010011027.tif 000007
【図６】
2010011027.tif 000008
【図７】
2010011027.tif 000009
【図８】
2010011027.tif 000010
【図９】
2010011027.tif 000011
【図１０】
2010011027.tif 000012
【図１１】
2010011027.tif 000013
【図１２】
2010011027.tif 000014
【図１３】
2010011027.tif 000015
【図１４】
2010011027.tif 000016
【図１５】
2010011027.tif 000017